(57)【要約】【課題】音出力手段に接続される信号線が切断された状態で不正行為が行われた場合に、異常の発生を容易に判定（報知）する遊技機を提供する。【解決手段】アンプ基板１１２は、警告音を出力するときに非常用スピーカ１７０Ｂに供給される電流を検出するカーレントトランス２０８及び第１コンパレータ２１０を備えた第１回路２００と、警告音を出力するときに非常用スピーカ１７０Ｂに印加される電圧を検出する第２コンパレータ２２２を備えた第２回路２０２と、カーレントトランス２０８及び第１コンパレータ２１０からの出力結果と第２コンパレータ２２２からの出力結果との所定の組合せにより特定結果を出力する論理回路２０４と、論理回路２０４から特定結果が出力された場合に異常があると判定するＣＰＵ１１２Ｂと、を有する。【選択図】      図６
2010124837.tif 000002
【特許請求の範囲】
【請求項１】
不正行為の発生に伴い警告音を出力する音出力手段と、前記音出力手段からの音出力を制御する音出力制御手段と、を備えた遊技機であって、
前記音出力制御手段は、
前記警告音を出力するときに前記音出力手段に供給される電流を検出する電流検出手段を備えた第１回路と、
前記第１回路に対して並列的となるように接続され、前記警告音を出力するときに前記音出力手段に印加される電圧を検出する電圧検出手段を備えた第２回路と、
前記第１回路と前記第２回路に接続され、前記電流検出手段からの出力結果と前記電圧検出手段からの出力結果とがそれぞれ入力するとともに、前記電流検出手段からの前記出力結果と前記電圧検出手段からの前記出力結果との所定の組合せにより特定結果を出力する論理回路と、
前記論理回路から前記特定結果が出力された場合に異常があると判定する異常判定部と、
を有することを特徴とする遊技機。
【請求項２】
前記電流検出手段は、電流変成器と第１コンパレータとを組み合わせて構成され、
前記電圧検出手段は、第２コンパレータで構成されていることを特徴とする請求項１に記載の遊技機。
【請求項３】
前記第１回路の前記第１コンパレータの出力側に、前記第１コンパレータの出力結果を安定させる第１出力安定手段を設け、
前記第２回路の前記第２コンパレータの出力側に、前記第２コンパレータの出力結果を安定させる第２出力安定手段を設け、
前記電流検出手段からの前記出力結果は、前記第１出力安定手段を経て安定した状態で前記論理回路に入力し、
前記電圧検出手段からの前記出力結果は、前記第２出力安定手段を経て安定した状態で前記論理回路に入力することを特徴とする請求項２に記載の遊技機。
【発明の詳細な説明】
【技術分野】
【０００１】
本発明は、遊技球を用いて遊技を行うパチンコ機やアレンジボール機、あるいは遊技メダルを用いて遊技を行うスロットマシンなどの遊技機に関する。
【背景技術】
【０００２】
従来のパチンコ機などの遊技機の中には、信号線等の断線が発生したときに、異常を検出するものがある。例えば、センサ、スイッチ等のスイッチング装置から出力され信号線を介して検出された検出電圧を所定の基準電圧と比較するコンパレータを設け、このコンパレータによって検出電圧が基準電圧より高レベルか低レベルかを判別することにより遊技部材の状況の変化を検知するとともに、検出電圧を上限電圧と下限電圧と比較して検出電圧が常に所定の電圧レベル領域内にあることを監視する電圧レベル監視用コンパレータを設けた遊技機が提案されている（下記特許文献１参照）。
【０００３】
また、ホールコンピュータとパチンコ球貸機をつなぐ信号ケーブルに一定の電圧を印加する電源と、印加電圧によって信号ケーブルに流れる電流を検出する断線検知手段と、を設け、電流の通電停止によって断線と判断する構造を備えた遊技機も提案されている（下記特許文献２参照）。
【特許文献１】特開２００３−３２５９３０号公報
【特許文献２】特開平５−９６０６１号公報
【発明の開示】
【発明が解決しようとする課題】
【０００４】
ところが、上記特許文献１に記載の遊技機は、電圧を検出して異常の有無を判断するため、異常が発生しても電圧が変化しないケース（例えば、スピーカなどの音出力手段の信号線の断線など）については、異常を判定することができない問題が生じる。これにより、遊技機に異常が発生すると、スピーカから所定の警告音が出力される構造では、スピーカの断線を生じさせた後に、不正行為が行われると、スピーカから警告音が出力されないため、不正行為に気付かない問題が残る。
【０００５】
また、上記特許文献２に記載の遊技機は、信号ケーブルの断線等により電流が流れなくなると、信号ケーブルの異常を検出することは可能である。しかし、特許文献２は常に一定電圧を印加しているので電流が流れるのが正常状態であるが、スピーカなどの場合は正常状態でも音声出力していないときには、当然電流も流れない。つまり、電流が流れていない状態がスピーカハーネス等の断線により発生しているのか、音声出力をしていないから発生しているのかを区別することはできない。
【０００６】
そこで、本発明は、音出力手段に接続される信号線が切断された状態で不正行為が行われた場合に、異常の発生を容易に判定（報知）することができる遊技機を提供することを目的とする。
【課題を解決するための手段】
【０００７】
請求項１に記載の発明は、不正行為の発生に伴い警告音を出力する音出力手段と、前記音出力手段からの音出力を制御する音出力制御手段と、を備えた遊技機であって、前記音出力制御手段は、前記警告音を出力するときに前記音出力手段に供給される電流を検出する電流検出手段を備えた第１回路と、前記第１回路に対して並列的となるように接続され、前記警告音を出力するときに前記音出力手段に印加される電圧を検出する電圧検出手段を備えた第２回路と、前記第１回路と前記第２回路に接続され、前記電流検出手段からの出力結果と前記電圧検出手段からの出力結果とがそれぞれ入力するとともに、前記電流検出手段からの前記出力結果と前記電圧検出手段からの前記出力結果との所定の組合せにより特定結果を出力する論理回路と、前記論理回路から前記特定結果が出力された場合に異常があると判定する異常判定部と、を有することを特徴とする。
【０００８】
請求項１に記載の発明によれば、音出力手段から警告音を出力させるためには、音出力手段に対して電圧を印加して電流を供給する必要がある。このとき、第１回路の電流検出手段により電流が検出され、第２回路の電圧検出手段により電圧が検出される。例えば、音出力制御手段が不正行為などの異常を検知すると、上述したように音出力手段に電圧が印加され、電流が供給されて、音出力手段から所定の警告音が出力される。
【０００９】
ここで、音出力制御手段が不正行為などの異常を検知すると、音出力制御手段は、音出力手段に電圧を印加して電流が流れるように制御するが、第１回路又は第２回路の少なくとも一方が切断された状態では、電流検出手段で電流が検出されず、一方、電圧検出手段で電圧が検出される状態になる。このとき、電流検出手段からの出力結果と電圧検出手段からの出力結果とが論理回路に入力すると、電流検出手段からの出力結果と電圧検出手段からの出力結果とが所定の組合せになる。論理回路は、電流検出手段からの出力結果と電圧検出手段からの出力結果との所定の組合せにより特定結果を出力する。異常判定部は、論理回路から特定結果が出力された場合に異常があると判定する。
【００１０】
このように、第１回路又は第２回路が切断された状態で不正行為が行われた場合には、異常判定部が異常有りと判定するため、不正行為と第１回路又は第２回路の異常との両方を報知することができ、不正行為を早期に発見することができる。
【００１１】
請求項２に記載の発明は、請求項１に記載の遊技機において、前記電流検出手段は、電流変成器と第１コンパレータとを組み合わせて構成され、前記電圧検出手段は、第２コンパレータで構成されていることを特徴とする。
【００１２】
請求項２に記載の発明によれば、電流検出手段は、電流変成器と第１コンパレータとが組み合わせて構成されているため、電流検出手段の出力結果を所定の波形として出力することができる。また、電圧検出手段は、第２コンパレータで構成されているため、電圧検出手段の出力結果を所定の波形として出力することができる。これにより、論理回路に入力されたときに、論理回路において電流検出手段及び電圧検出手段での検出結果の内容を容易に特定することができる。この結果、異常判定部における異常の有無の判定精度を高めることができる。
【００１３】
請求項３に記載の発明は、請求項２に記載の遊技機において、前記第１回路の前記第１コンパレータの出力側に、前記第１コンパレータの出力結果を安定させる第１出力安定手段を設け、前記第２回路の前記第２コンパレータの出力側に、前記第２コンパレータの出力結果を安定させる第２出力安定手段を設け、前記電流検出手段からの前記出力結果は、前記第１出力安定手段を経て安定した状態で前記論理回路に入力し、前記電圧検出手段からの前記出力結果は、前記第２出力安定手段を経て安定した状態で前記論理回路に入力することを特徴とする。
【００１４】
請求項３に記載の発明によれば、電流検出手段からの出力結果は、第１出力安定手段を経て安定した状態で論理回路に入力し、電圧検出手段からの出力結果は、第２出力安定手段を経て安定した状態で論理回路に入力する。これにより、論理回路に入力する電流検出手段及び電圧検出手段からの出力結果の内容を安定させることができるため、論理回路による電流検出手段及び電圧検出手段からの出力結果の認定精度を高めることができる。この結果、異常判定部における異常の有無の判定精度を高めることができる。
【発明を実施するための最良の形態】
【００１５】
次に、本発明の第１実施形態に係る遊技機について、図面を参照して説明する。なお、本実施形態では本発明を弾球遊技機の一例であるパチンコ機に適用した構成を説明するが、スロットマシンの音出力手段と音制御手段に対して適用することができる。
【００１６】
図１に示すように、第１実施形態に係るパチンコ機（遊技機）１０の前面部には、主として、外枠１２と、内枠１４と、前面枠１６と、上皿部１８と、下皿部２０と、施錠装置２２と、発射ハンドル２４などが設けられている。
【００１７】
外枠１２は、木製の板状体を略長方形の額縁状に組立て固着したものである。内枠１４は、全体がブラスチック製で、外枠１２に対して開閉可能に軸支されている。また、内枠１４の右端中央からやや下方には、施錠装置２２が設けられている。
【００１８】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図２参照）を前方から視認するべく、遊技盤２６に形成された遊技領域２８（図２参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。
【００１９】
また、前面枠１６の下方側には、上皿部１８が設けられている。この上皿部１８には、演出ボタン４０と、球貸操作部１５５と、がそれぞれ設けられている。
【００２０】
また、上皿部１８の下方側には、下皿部２０が設けられている。また、下皿部２０の右下方側には、遊技球を発射させるための発射ハンドル２４が設けられている。
【００２１】
また、図１に示すように、下皿部２０の左右下方側には、所定の効果音を出力するための各サブスピーカ４８がそれぞれ設けられている。
【００２２】
また、内枠１４には、遊技領域２８の形状に合致した開口部（図示省略）が形成されている。この内枠１４の内側面には、遊技盤２６が取り付けられる。これにより、遊技者は、遊技盤２６の遊技領域２８を内枠１４の開口部及び前面枠１６の開口部３０を通して視認することができる。
【００２３】
さらに、パチンコ機１０の正面左側には、球貸装置１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００２４】
また、球貸操作部１５５には、球貸しを要求するための球貸スイッチ１５６、カード挿入口１５７に挿入されたプリペイドカードの返却を要求するための返却スイッチ１５８と、がそれぞれ設けられている。
【００２５】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数（貸出金額）に対応する個数が引かれて、遊技球（貸球）が払出装置１６１から上皿部１８に案内される。このとき、例えば、プリペイドカードの残り度数が減算されて「０」となった場合には、カード挿入口１５７から自動的にプリペイドカードが返却される。
【００２６】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額（貸出金額）に対応する個数が引かれて、遊技球（貸球）が払出装置１６１から上皿部１８に案内される。
【００２７】
次に、遊技盤２６の表面構造について説明する。
【００２８】
図２に示すように、遊技盤２６は、内枠１４に保持されるとともに、裏機構盤によりその背面側が覆われている。遊技盤２６には、遊技盤２６の表面に設けられた外レール５０と内レール５２とにより略円形状の遊技領域２８が形成されている。遊技領域２８の内部には、主として、始動口５６Ｂと、センター役物６４と、ワープ入球口５８と、多数の障害釘６０等と、がそれぞれ配設されている。
【００２９】
センター役物６４は、遊技領域２８の略中央部に配置されており、主として、演出図柄表示装置６２と、ランプ類６６と、を備えている。
【００３０】
演出図柄表示装置６２は、主制御基板１０２（図３参照）やサブ制御基板１０６（図３参照（音出力制御手段））からの制御信号に基づいて表示制御されており、略長方形状の表示面６２Ａ（表示領域）を有している。この表示面６２Ａ上には、特別図柄の演出図柄が表示される。具体的には、演出図柄表示装置６２の表示面６２Ａ上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００３１】
演出図柄表示装置６２は、遊技球が始動口５６Ｂに入球することにより、その表示面６２Ａの表示領域に表示される各演出図柄をそれぞれ変動させて停止表示させるものである。そして、例えば、演出図柄が「７、７、７」の３桁同一図柄で揃って停止表示（確定表示、確変大当り）すると、遊技領域右側の第２大入賞口８７が開放される。また、例えば、演出図柄が「８、８、８」の３桁同一図柄で揃って停止表示（確定表示、通常大当り）すると、変動入賞装置８０に配設された大入賞装置８４の第１大入賞口８６が開放される。本実施形態のパチンコ機１０では始動口５６Ｂに遊技球が入球すると、各演出図柄がそれぞれ変動され、演出図柄が３桁同一図柄で揃うことにより、「大当り」という特定価値を付与するものである。
【００３２】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００３３】
確変大当り及び通常大当りは、比較的多くのラウンド数（例えば、１５ラウンド）を有し、第１大入賞口８６及び第２大入賞口８７の開放時間が約２６秒間である大当りである。このため、賞球数が比較的多くなる。なお、本実施形態のパチンコ機１０では、確変大当りのときに第２大入賞口８７が開放し、通常大当りのときに第１大入賞口８６が開放する。そして、第１大入賞口８６又は第２大入賞口８７に所定数（例えば、１０個）の遊技球が入球するか、あるいは所定数（例えば、１０個）の遊技球が入球しなくても所定時間（例えば、２６秒間）が経過したときに第１大入賞口８６又は第２大入賞口８７が閉じられて１ラウンドが終了する。
【００３４】
また、確率変動状態は、大当り（確変大当り及び通常大当りの２種類の大当りを意味する）に移行する確率が予め定められた高確率となる状態である。また、開放時間延長状態は、始動口５６Ｂの開放時間が通常よりも延長される状態である。例えば、通常の開放時間は、約０．１秒間であるのに対して、開放時間延長状態では、約４秒間に延長される。なお、始動口５６Ｂは、普通図柄の抽選に当選することにより開放するもので、普通電動役物として機能する。
【００３５】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ始動口５６Ｂの開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ始動口５６Ｂの開放延長機能が作動する時短遊技状態となる。
【００３６】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００３７】
遊技領域２８の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００３８】
ここで、確変大当りした場合では、７セグメント表示器７０には、予め定められた識別図柄（例えば、奇数の数字からなる確変大当り図柄）が停止表示される。また、通常大当りした場合では、７セグメント表示器７０には、予め定められた別の識別図柄（例えば、偶数の数字からなる通常大当り図柄）が停止表示される。
【００３９】
また、演出図柄表示装置６２の左側には、普通図柄作動ゲート７８が配置されている。この普通図柄作動ゲート７８の内部には、ゲートスイッチ１２４（図３参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００４０】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、第１大入賞口８６又は第２大入賞口８７が開放状態となる。また、２個の普通図柄表示ＬＥＤ７６が予め定められた表示態様（当り図柄）で停止表示されると、普通図柄当りが発生し、始動口５６Ｂが開放状態となる。なお、７セグメント表示器７０にて表示される特別図柄の識別図柄と、演出図柄表示装置６２の表示面６２Ａにて表示される特別図柄の演出図柄とは、同一の遊技結果（抽選結果）を示すものである。
【００４１】
始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図３参照）と、翼片部材５６Ａを作動させるための始動口ソレノイド１３０（図３参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００４２】
変動入賞装置８０は、始動口５６Ｂの下方に配置されており、基板８２と、大入賞装置８４と、を備えている。ここで、大入賞装置８４は、略中央に配置されており、帯状に開口された第１大入賞口８６と、この第１大入賞口８６を開放又は閉鎖する開閉板８８と、この開閉板８８を開閉するための大入賞口ソレノイド１３２（図３参照）と、第１大入賞口８６の入賞球を検知するカウントスイッチ１２６（図３参照）と、を備えている。
【００４３】
遊技領域２８の右下方側には、第２大入賞口８７が配置されている。また、この第２大入賞口８７を開放又は閉鎖する開閉板８９と、この開閉板８９を開閉するための大入賞口ソレノイド１３３（図３参照）と、第２大入賞口８７の入賞球を検知するカウントスイッチ１２７（図３参照）と、が設けられている。なお、大入賞口ソレノイド１３３及びカウントスイッチ１２７の動作は、大入賞口ソレノイド１３２及びカウントスイッチ１２６と同様である。
【００４４】
また、センター役物６４の左側下方部には、風車６３が配置されている。さらに、遊技領域２８の左側下方部及び右側下方部には、一対のサイドランプ９０がそれぞれ配置されている。
【００４５】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００４６】
次に、パチンコ機１０を構成する電子制御装置について説明する。
【００４７】
図３及び図４に示すように、電子制御装置は、主制御基板１０２と、払出制御基板１０４と、サブ制御基板１０６と、発射制御基板１０８と、を備えている。
【００４８】
主制御基板１０２は、ＣＰＵ１０２Ａと、ＲＯＭ１０２Ｂと、を備えている。主制御基板１０２のＣＰＵ１０２Ａは、ＲＯＭ１０２Ｂに記憶されたデータに基づいて、始動口ソレノイド１３０、大入賞口ソレノイド１３２、１３３、図柄表示装置１３４及びサブ制御基板１０６をそれぞれ制御する。また、主制御基板１０２のＣＰＵ１０２Ａは、遊技全体を司り主として当否判定などの遊技状態を判断するものである。
【００４９】
特に、ＣＰＵ１０２Ａは、始動口５６Ｂへの遊技球の入球を契機として、大当り抽選処理（特別遊技抽選処理）を実行し、任意の乱数（特別図柄当否判定乱数）を用いて当否を判定する機能を備えている。また、特別図柄の当否判定の実行に伴って、ＣＰＵ１０２Ａは、特別図柄（識別図柄）の変動パターン（変動時間）を決定する機能も備えている。
【００５０】
この識別図柄の変動パターンは、演出図柄表示装置６２の表示面６２Ａに表示される各演出図柄の演出パターン（遊技演出）に対応するもので、ＣＰＵ１０２Ａが行う「識別図柄の変動パターンの決定」は、「演出図柄の演出パターン（遊技演出）の決定」に相当する。そして、特別図柄（識別図柄）の変動パターン（演出図柄の演出パターン）が決定されると、７セグメント表示器７０で特別図柄（識別図柄）の変動表示が開始されるとともに、演出図柄表示装置６２の表示面６２Ａで演出図柄の変動表示が開始され、決定された変動パターンにより特定される変動時間が経過すると、特別図柄および演出図柄が停止表示され、その停止表示された演出図柄の図柄組み合わせ態様により、特別図柄の当否判定結果（大当り抽選結果）が遊技者に報知される。なお、演出図柄表示装置６２は、遊技盤２６の表面（盤面）略中央に、遊技者の視野に入り易い状態で配置される。一方、７セグメント表示器７０は、遊技盤２６の表面（盤面）の端部（本実施形態では盤面左側端部）に、遊技者の視野に入り難い状態で配置される。このことから、遊技者は演出図柄表示装置６２の表示面６２Ａの表示内容に注目して遊技を行うのが一般的である。
【００５１】
そして、ＣＰＵ１０２Ａは、上述した演出図柄の変動表示及び停止表示の制御を行うサブ制御基板１０６、及び遊技盤面に設けられた各種入賞口に遊技球が入球することで発生する賞球の払い出し制御を行う払出制御基板１０４を直接的に制御する。また、主制御基板１０２のＣＰＵ１０２Ａは、演出表示基板１１０、アンプ基板（音出力制御手段）１１２、装飾駆動基板１１４及び演出ボタン基板１１６を、サブ制御基板１０６を介して間接的に制御する。
【００５２】
主制御基板１０２のＲＯＭ１０２Ｂには、ＣＰＵ１０２Ａにより実行される遊技全体の制御を実現するためのプログラムが記憶されている。
【００５３】
また、主制御基板１０２は、中継端子板１１８を介して、始動口スイッチ１２０と、大入賞口スイッチ１２２と、ゲートスイッチ１２４と、カウントスイッチ１２６、１２７と、にそれぞれ電気的に接続されている。
【００５４】
また、主制御基板１０２は、中継端子板１２８を介して、始動口ソレノイド１３０と、大入賞口ソレノイド１３２、１３３と、図柄表示装置１３４と、にそれぞれ電気的に接続されている。なお、７セグ表示基板６８は、図柄表示装置１３４の一実施形態である。
【００５５】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００５６】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２を備えた払出装置１６１と払出スイッチ１６４とにそれぞれ電気的に接続されている。さらに、払出制御基板１０４は、主制御基板１０２と発射制御基板１０８とにそれぞれ電気的に接続されている。
【００５７】
サブ制御基板１０６は、演出表示基板１１０と、アンプ基板１１２と、装飾駆動基板１１４と、演出ボタン基板１１６と、にそれぞれ電気的に接続されている。
【００５８】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００５９】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。
【００６０】
ＲＯＭ１０６Ｂには、各基板の制御に必要なデータ（特に遊技の装飾に関する情報）が記憶されている。
【００６１】
図４に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２の表示面６２Ａに変動表示及び停止表示される演出図柄のデータ（画像データ）が記憶されている。演出表示基板１１０は、演出表示ＲＯＭ１６８に記憶された演出図柄のデータに基づいて、演出図柄表示装置６２の表示面６２Ａに変動表示される演出図柄を表示制御する。なお、演出図柄表示装置６２は、演出表示装置１６６の一実施形態である。
【００６２】
また、図４及び図５に示すように、アンプ基板１１２には、各種スピーカ１７０（４８）が電気的に接続されている。なお、サブスピーカ４８は、各種スピーカ１７０の一実施形態であり、後述の一般演出用スピーカ１７０Ａに該当する。また、各種スピーカ１７０には、一般遊技演出に伴う演出音（効果音）を出力するための一般演出用スピーカ１７０Ａと、不正行為が発生したときに警告音を出力するための非常用スピーカ（音出力手段）１７０Ｂと、が含まれている。また、アンプ基板１１２には、アンプ回路１１２Ａと、ＣＰＵ（異常判定部）１１２Ｂと、ＲＯＭ１１２Ｃと、検出信号入力部１１２Ｄと、が設けられている。
【００６３】
図６に示すように、アンプ回路１１２Ａは、大きく分けて、第１回路２００と、第２回路２０２と、第１回路２００と第２回路２０２のそれぞれに接続された論理回路２０４と、で構成されている。第１回路２００は、コイル２０６と、カーレントトランス（電流検出手段、電流変成器）２０８と、各種スピーカ１７０の一部を構成し不正行為の発生を検知したときに警告音を出力する非常用スピーカ１７０Ｂと、カーレントトランス２０８の２次側２０８Ｂに接続された第１コンパレータ（電流検出手段）２１０と、第１コンパレータ２１０の出力結果を安定させる第１出力安定手段２１２と、第１インバータ２１４と、が直列的に配置されている。また、第１回路２００のコイル２０６とカーレントトランス（電流変成器）２０８との間には、一方の端子がアース接続されたコンテセンサ２１６が接続されている。ここで、第１出力安定手段２１２は、抵抗２１２Ａ、ダイオード２１２Ｂ、コンデンサ２１２Ｃ及び第１インバータ２１４で構成されている。
【００６４】
なお、ここでいう出力の安定とは、細かい矩形波になっている状態を論理回路が読み取れる直線状態の波形にすることをいう。図１０（Ａ）の状態がコンパレータの出力側の波形である。抵抗、ダイオード、コンデンサを通過することにより、図１０（Ｂ）の状態になる。さらに、インバータを通過し、インバータの出力側では、図１０（Ｃ）の状態になる。
【００６５】
また、第１回路２００を流れて非常用スピーカ１７０Ｂに供給される電流は、カーレントトランス２０８及び第１コンパレータ２１０で検出される。ここで、カーレントトランス２０８は、１次側２０８Ａに電流を流したときに、巻線比によって２次側２０８Ｂに電流が流れるものをいう。このため、２次側２０８Ｂに負荷を接続すると、電圧が発生する。
【００６６】
第２回路２０２は、コイル２２０と、第２コンパレータ（電圧検出手段）２２２と、第２コンパレータ２２２の出力結果を安定させる第２出力安定手段２２４と、第２インバータ２２６と、が直列的に配置されている。また、第２回路２０２のコイル２２０と第２コンパレータ２２２との間には、一方の端子がアース接続されたコンデンサ２２８が接続されている。ここで、第２出力安定手段２２４は、抵抗２２４Ａ、ダイオード２２４Ｂ、コンデンサ２２４Ｃ及び第２インバータ２２６で構成されている。また、非常用スピーカ１７０Ｂに印加される電圧は、第２コンパレータ２２２で検出される。なお、第１回路２００のコイル２０６の出力側と第２回路２０２のコイル２２０の出力側は、コンデンサ２３０で接続されている。
【００６７】
ここで、第１回路２００及び第２回路２０２の各コンパレータ２１０、２２２の出力側に、出力安定手段２１２、２２４として、抵抗２１２Ａ、２２４Ａ、ダイオード２１２Ｂ、２２４Ｂ、コンデンサ２１２Ｃ、２２４Ｃ、第１インバータ２１４、及び第２インバータ２２６を設けることにより、各コンパレータ２１０、２２２からの出力結果を波形状（電圧レベルが一定でないため）から直線状に表現することができ、各コンパレータ２１０、２２２により電流又は電圧が検出されたか否かを高レベル又は低レベルに分けて判別することができる。
【００６８】
図７に示すように、論理回路２０４（排他的論理和）は、入力のうち１の数が奇数個なら出力が１、偶数個なら出力が０になる論理回路をいう。例えば、第１回路２００からの出力結果（入力１）が高（Ｈ）レベル（１）で、第２回路２０２からの出力結果（入力２）が高（Ｈ）レベル（１）の場合には、１の数が偶数個（２個）になるので、論理回路２０４からの出力は、０になる（出力パターン１）。
【００６９】
また、第１回路２００からの出力結果（入力１）が高（Ｈ）レベル（１）で、第２回路２０２からの出力結果（入力２）が低（Ｌ）レベル（０）の場合には、１の数が偶数個（１個）になるので、論理回路２０４からの出力は、１になる（出力パターン２）。
【００７０】
また、第１回路２００からの出力結果（入力１）が低（Ｌ）レベル（０）で、第２回路２０２からの出力結果（入力２）が高（Ｈ）レベル（１）の場合には、１の数が偶数個（１個）になるので、論理回路２０４からの出力は、１になる（出力パターン３）。
【００７１】
さらに、第１回路２００からの出力結果（入力１）が低（Ｌ）レベル（０）で、第２回路２０２からの出力結果（入力２）が低（Ｌ）レベル（０）の場合には、１の数が偶数個（０個）になるので、論理回路２０４からの出力は、０になる（出力パターン４）。
【００７２】
なお、論理回路２０４からの各出力パターンに対応する出力結果は、出力結果を示す検出信号として検出信号入力部１１２Ｄに入力する。
【００７３】
図５に示すように、ＣＰＵ１１２Ｂは、大入賞口８６、８７や始動口５６Ｂの不正開放等の不正行為が発生した場合（アンプ回路１１２Ａは異常なし）に、アンプ回路１１２Ａに電圧を印加して電流を供給し、非常用スピーカ１７０Ｂから所定の警告音が出力されるように制御する。これにより、不正行為の発生を検知した場合には、非常用スピーカ１７０Ｂから所定の警告音が出力されることにより、パチンコ機１０を管理する管理者等に不正行為の発生を報知することができる。さらに、ＣＰＵ１１２Ｂは、遊技演出が行われている場合に、一般演出用スピーカ１７０Ａから所定の演出音（効果音）が出力されるように制御する。これにより、現在行われている遊技演出に合致した音演出を実現することができる。
【００７４】
また、ＣＰＵ１１２Ｂは、ＲＯＭ１１２Ｃに記憶されたテーブルに基づいて、現在のパチンコ機１０のスピーカの音声出力電圧の印加及びスピーカハーネス等の断線を判定する。特に、ＣＰＵ１１２Ｂは、論理回路２０４の出力結果が出力パターン４に対応する場合に、パチンコ機１０に不正行為が発生し、スピーカの音声出力が印加されており、かつスピーカハーネス、スピーカ出力回路の断線と判定する。したがって、ＣＰＵ１１２Ｂが本発明の異常判定部である。
【００７５】
ＲＯＭ１１２Ｃには、現在行われている遊技演出に対応して一般演出用スピーカ１７０Ａから出力される演出音（効果音）の音データと、不正行為のみ（アンプ回路１１２Ａは異常なし）が発生したときに非常用スピーカ１７０Ｂから出力される警告音の音データと、が記憶されている。
【００７６】
また、ＲＯＭ１１２Ｃには、論理回路２０４からの出力結果の内容と、現在のパチンコ機１０のスピーカの音声出力電圧の印加及びスピーカハーネス等の断線の対応関係（テーブル）が記憶されている。
【００７７】
具体的には、ＲＯＭ１１２Ｃには、論理回路２０４からの出力が０の場合に、スピーカの音声出力電圧の印加及びスピーカハーネス等の断線が同時に発生しておらず、論理回路２０４からの出力が１の場合に、スピーカの音声出力電圧の印加及びスピーカハーネス等の断線が同時に発生していることを対応付けたテーブルが記憶されている。
【００７８】
検出信号入力部１１２Ｄには、上述したように、論理回路２０４からの出力結果に関する検出信号が入力する。検出信号入力部１１２Ｄに入力した論理回路２０４からの出力結果に関する検出信号は、ＣＰＵ１１２Ｂによるスピーカの音声出力電圧の印加及びスピーカハーネス等の断線の有無の判定に使用される。
【００７９】
なお、上述した構成では、アンプ基板１１２に、アンプ回路１１２Ａと、ＣＰＵ１１２Ｂと、ＲＯＭ１１２Ｃと、検出信号入力部１１２Ｄと、が設けられた構成を示したが、アンプ基板１１２に替えて、アンプ基板１１２を制御するサブ制御基板１０６に、これらの構成要素を設けるようにしてもよい。
【００８０】
また、図４に示すように、装飾駆動基板１１４には、各種ＬＥＤ・ランプ１７２（６６）が電気的に接続されている。また、演出ボタン基板１１６には、操作スイッチ１７４（４０）が電気的に接続されている。なお、ランプ類６６は、各種ＬＥＤ・ランプ１７２の一実施形態である。また、演出ボタン４０は、操作スイッチ１７４の一実施形態である。
【００８１】
次に、第１実施形態に係るパチンコ機１０の作用について説明する。
【００８２】
（図８の正常時（音声出力無し）の場合）
先ず、パチンコ機１０に始動口５６Ｂや大入賞口８６、８７などに対する不正行為が無く、スピーカの音声出力電圧の印加が無い場合でスピーカハーネス等の断線の異常が無い場合について説明する。
【００８３】
図６乃至図８に示すように、パチンコ機１０に始動口５６Ｂや大入賞口８６、８７などに対する不正行為が無く、かつスピーカハーネス等の断線などの異常が無い場合には、第１回路２００のカーレントトランス２０８の部分に電流が流れていないので、第１コンパレータ２１０の出力側のＡ点には、出力波形が出てこない。そして、この波形が第１出力安定手段２１２により、低レベル直線（Ｌ（ＬＯＷ））に変換されて第１インバータ２１４に入力する。第１インバータ２１４に入力すると、低レベル直線が反転され、Ｃ点において、高レベル直線（Ｈ（ＨＩＧＨ））になる。
【００８４】
一方、グランドを基準として非常用スピーカ１７０Ｂには不正行為が発生したときに警告音を出力するための音出力電圧が印加されていないので、第２回路２０２の第２コンパレータ２２２の出力側のＢ点には、出力波形が出てこない。そして、この波形が第２出力安定手段２２４により、低レベル直線（Ｌ（ＬＯＷ））に変換されて第２インバータ２２６に入力する。第２インバータ２２６に入力すると、低レベル直線が反転され、Ｄ点において、高レベル直線（Ｈ（ＨＩＧＨ））になる。
【００８５】
そして、論理回路２０４には、第１回路２００側から高レベルを示す出力結果が入力され、第２回路２０２側から高レベルを示す出力結果が入力される。論理回路２０４は、１の数（高レベル）の入力が２個（偶数個）になるため、０（Ｌ（ＬＯＷ））の出力が実行される。論理回路２０４は、検出信号として、アンプ基板１１２の検出信号入力部１１２Ｄに対して出力する。
【００８６】
上記した０（Ｌ（ＬＯＷ））の出力が論理回路２０４から検出信号入力部１１２Ｄに出力されると、ＣＰＵ１１２Ｂは、ＲＯＭ１１２Ｃに記憶したテーブルに基づいて、現在のパチンコ機１０のスピーカの音声出力電圧の印加及びスピーカハーネス等の断線の異常の有無を判定する。このケースでは、ＣＰＵ１１２Ｂにより、スピーカの音声出力電圧の印加及びスピーカハーネス等の断線の異常が同時に生じていないと判定される。
【００８７】
（図８の正常時（音声出力有り）の場合）
次に、パチンコ機１０に始動口５６Ｂや大入賞口８６、８７などに対する不正行為が発生し、スピーカの音声出力電圧が印加され、かつスピーカハーネス等の断線の異常が無い場合について説明する。
【００８８】
図６乃至図８に示すように、パチンコ機１０に始動口５６Ｂや大入賞口８６、８７などに対する不正行為が発生し、スピーカの音声出力が発生し、かつスピーカハーネス等の断線の異常が無い場合には、第１回路２００のカーレントトランス２０８の部分に電流が流れているので、第１コンパレータ２１０の出力側のＡ点には、出力波形が生じる。そして、この波形が第１出力安定手段２１２により、高レベル直線（Ｈ（ＨＩＧＨ））に変換されて第１インバータ２１４に入力する。第１インバータ２１４に入力すると、高レベル直線が反転され、Ｃ点において、低レベル直線（Ｌ（ＬＯＷ））になる。
【００８９】
一方、グランドを基準として非常用スピーカ１７０Ｂには不正行為が発生したときに警告音を出力するための音出力電圧が印加されているので、第２回路２０２の第２コンパレータ２２２の出力側のＢ点には、出力波形が生じる。そして、この波形が第２出力安定手段２２４により、高レベル直線（Ｈ（ＨＩＧＨ））に変換されて第２インバータ２２６に入力する。第２インバータ２２６に入力すると、高レベル直線が反転され、Ｄ点において、低レベル直線（Ｌ（ＬＯＷ））になる。
【００９０】
そして、論理回路２０４には、第１回路２００側から低レベルを示す出力結果が入力され、第２回路２０２側から低レベルを示す出力結果が入力される。論理回路２０４は、１の数（高レベル）の入力が０個（偶数個）になるため、０（Ｌ（ＬＯＷ））の出力が実行される。論理回路２０４は、検出信号として、アンプ基板１１２の検出信号入力部１１２Ｄに対して出力する。
【００９１】
上記した０（Ｌ（ＬＯＷ））の出力が論理回路２０４から検出信号入力部１１２Ｄに出力されると、ＣＰＵ１１２Ｂは、ＲＯＭ１１２Ｃに記憶したテーブルに基づいて、現在のパチンコ機１０のスピーカの音声出力電圧が印加し、かつスピーカハーネス等の断線の異常の有無を判定する。このケースでは、ＣＰＵ１１２Ｂにより、パチンコ機１０のスピーカの音声出力電圧が印加し、かつスピーカハーネス等の断線の異常が同時に生じていないと判定される。
【００９２】
（図８の断線時（音声出力無し）の場合）
次に、パチンコ機１０に始動口５６Ｂや大入賞口８６、８７などに対する不正行為が無く、スピーカの音声出力電圧が印加せず、かつスピーカハーネス等の断線の異常が有る場合について説明する。
【００９３】
図６乃至図８に示すように、パチンコ機１０に始動口５６Ｂや大入賞口８６、８７などに対する不正行為が無く、スピーカの音声出力電圧が印加せず、かつスピーカハーネス等の断線の異常が有る場合には、第１回路２００のカーレントトランス２０８の部分に電流が流れていないので、第１コンパレータ２１０の出力側のＡ点には、出力波形が出てこない。そして、この波形が第１出力安定手段２１２により、低レベル直線（Ｌ（ＬＯＷ））に変換されて第１インバータ２１４に入力する。第１インバータ２１４に入力すると、低レベル直線が反転され、Ｃ点において、高レベル直線（Ｈ（ＨＩＧＨ））になる。
【００９４】
一方、グランドを基準として非常用スピーカ１７０Ｂには不正行為が発生したときに警告音を出力するための音出力電圧が印加されていないので、第２回路２０２の第２コンパレータ２２２の出力側のＢ点には、出力波形が出てこない。そして、この波形が第２出力安定手段２２４により、低レベル直線（Ｌ（ＬＯＷ））に変換されて第２インバータ２２６に入力する。第２インバータ２２６に入力すると、低レベル直線が反転され、Ｄ点において、高レベル直線（Ｈ（ＨＩＧＨ））になる。
【００９５】
そして、論理回路２０４には、第１回路２００側から高レベルを示す出力結果が入力され、第２回路２０２側から高レベルを示す出力結果が入力される。論理回路２０４は、１の数（高レベル）の入力が２個（偶数個）になるため、０（Ｌ（ＬＯＷ））の出力が実行される。論理回路２０４は、検出信号として、アンプ基板１１２の検出信号入力部１１２Ｄに対して出力する。
【００９６】
上記した０（Ｌ（ＬＯＷ））の出力が論理回路２０４から検出信号入力部１１２Ｄに出力されると、ＣＰＵ１１２Ｂは、ＲＯＭ１１２Ｃに記憶したテーブルに基づいて、現在のパチンコ機１０のスピーカの音声出力電圧の印加及びスピーカハーネス等の断線の異常の有無を判定する。このケースでは、ＣＰＵ１１２Ｂにより、パチンコ機１０の不正行為とアンプ回路１１２Ａの異常とが同時に生じていないと判定される。
【００９７】
（図８の断線時（音声出力有り）の場合）
次に、パチンコ機１０に始動口５６Ｂや大入賞口８６、８７などに対する不正行為が発生し、スピーカの音声出力電圧の印加及びスピーカハーネス等の断線の異常が有る場合について説明する。
【００９８】
図６乃至図８に示すように、パチンコ機１０に始動口５６Ｂや大入賞口８６、８７などに対する不正行為が発生し、スピーカの音声出力電圧の印加及びスピーカハーネス等の断線の異常が有る場合には、非常用スピーカ１７０Ｂのハーネスが断線されているため、第１回路２００のカーレントトランス２０８の部分に電流が流れていない。これにより、第１コンパレータ２１０の出力側のＡ点には、出力波形が出てこない。そして、この波形が第１出力安定手段２１２により、低レベル直線（Ｌ（ＬＯＷ））に変換されて第１インバータ２１４に入力する。第１インバータ２１４に入力すると、低レベル直線が反転され、Ｃ点において、高レベル直線（Ｈ（ＨＩＧＨ））になる。
【００９９】
一方、非常用スピーカ１７０Ｂのハーネスが断線されていても、グランドを基準として非常用スピーカ１７０Ｂには、不正行為が発生したときに警告音を出力するための音出力電圧が印加されている。このため、第２回路２０２の第２コンパレータ２２２の出力側のＢ点には、出力波形が生じる。そして、この波形が第２出力安定手段２２４により、高レベル直線（Ｈ（ＨＩＧＨ））に変換されて第２インバータ２２６に入力する。第２インバータ２２６に入力すると、高レベル直線が反転され、Ｄ点において、低レベル直線（Ｌ（ＬＯＷ））になる。
【０１００】
そして、論理回路２０４には、第１回路２００側から高レベルを示す出力結果が入力され、第２回路２０２側から低レベルを示す出力結果が入力される。論理回路２０４は、１（高レベル）の数の入力が１個（奇数個）になるため、１（Ｈ（ＨＩＧＨ））の出力が実行される。論理回路２０４は、検出信号として、アンプ基板１１２の検出信号入力部１１２Ｄに対して出力する。
【０１０１】
上記した１（Ｈ（ＨＩＧＨ））の出力が論理回路２０４から検出信号入力部１１２Ｄに出力されると、ＣＰＵ１１２Ｂは、ＲＯＭ１１２Ｃに記憶したテーブルに基づいて、現在のパチンコ機１０のスピーカの音声出力電圧の印加及びスピーカハーネス等の断線の異常の有無を判定する。このケースでは、ＣＰＵ１１２Ｂにより、パチンコ機１０のスピーカの音声出力電圧の印加及びスピーカハーネス等の断線の異常が同時に発生していると判定される。
【０１０２】
以上のように、第１回路２００又は第２回路２０２が切断された状態で不正行為が行われた場合には、ＣＰＵ１１２Ｂが異常有りと判定するため、不正行為とスピーカハーネス等の断線の異常との両方を報知することができ、不正行為を早期に発見することができる。これにより、例えば、不正行為に伴い非常用スピーカ１７０Ｂからの警告音の出力を阻止するために、不正行為前にスピーカハーネス等を切断する行為が行われた場合でも、不正行為を容易に判別することができる。なお、不正行為を報知する方法については、後述する。
【０１０３】
特に、電流検出手段として、カーレントトランス２０８と第１コンパレータ２１０とが組み合わせて構成されているため、電流検出手段の出力結果を所定の波形として出力することができる。また、電圧検出手段は、第２コンパレータ２２２で構成されているため、電圧検出手段の出力結果を所定の波形として出力することができる。これにより、論理回路２０４に入力される第１回路２００からの入力信号と第２回路２０２からの入力信号とに基づいて、電流及び電圧の検出の有無を容易に特定することができる。この結果、ＣＰＵ１１２Ｂにおける異常の有無の判定精度を高めることができる。
【０１０４】
また、第１コンパレータ２１０からの出力結果は、第１出力安定手段２１２を経て安定した状態で論理回路２０４に入力し、第２コンパレータ２２２からの出力結果は、第２出力安定手段２２４を経て安定した状態で論理回路２０４に入力する。これにより、論理回路２０４に入力する第１コンパレータ２１０及び第２コンパレータ２２２からの出力結果の内容を安定させることができるため、論理回路２０４による第１コンパレータ２１０及び第２コンパレータ２２２からの出力結果の認定精度を高めることができる。この結果、ＣＰＵ１１２Ｂにおける異常の有無の判定精度を高めることができる。
【０１０５】
次に、本発明の第２実施形態に係る遊技機について、図面を参照して説明する。なお、本発明の第１実施形態に係る遊技機の構成と重複する構成については、同符号を付し、その説明を適宜省略する。
【０１０６】
第２実施形態に係るパチンコ機は、第１実施形態に係るパチンコ機１０と比較して、アンプ基板に設けられたアンプ回路の構成を変更したものである。
【０１０７】
すなわち、図９に示すように、第１回路２００の第１インバータ２１４の出力側には、第１特別インバータ２３２が接続されている。また、第２回路２０２の第２インバータ２２６の出力側には、第２特別インバータ２３４が接続されている。そして、第１特別インバータ２３２の出力結果と第２特別インバータ２３４の出力結果が論理回路２０４に入力する。
【０１０８】
第２実施形態によれば、第１回路２００の出力結果と第２回路２０２の出力結果は、それぞれ同じ回数だけインバータに入力して反転されるため、論理回路２０４からの出力結果は、第１実施形態のパチンコ機１０のそれと同じになる。この結果、第２実施形態のパチンコ機においても、パチンコ機１０の不正行為の発生とアンプ回路１１２Ａの異常とを容易に判定することができる。
【０１０９】
次に、各実施形態のパチンコ機１０において不正行為が発生し、スピーカの音声出力電圧の印加及びスピーカハーネス等の断線異常が発生した場合の報知方法の各実施例について説明する。
【０１１０】
先ず、パチンコ機１０の異常報知方法の第１実施例について説明する。
【０１１１】
（第１実施例）
図１１に示すように、アンプ基板１１２には、パチンコ機１０に不正行為が発生し、スピーカの音声出力電圧の印加及びスピーカハーネス等の断線異常が発生した場合に、異常検出信号を生成する異常検出信号生成部１１２Ｅと、異常検出信号生成部１１２Ｅで生成された異常検出信号出力部１１２Ｆと、が設けられている。
【０１１２】
サブ制御基板１０６には、アンプ基板１１２とは別に、特別アンプ基板１７６が接続されている。特別アンプ基板１７６には、特別スピーカ１７８が接続されており、この特別アンプ基板１７６が特別スピーカ１７８によるエラー音の出力を制御する。なお、特別アンプ基板１７６及び特別スピーカ１７８は、不正行為者から発見されないように、パチンコ機１０の内部に設けてられていることが好ましい。
【０１１３】
第１実施例となるパチンコ機１０の異常報知方法によれば、パチンコ機１０に不正行為が発生し、スピーカの音声出力電圧の印加及びスピーカハーネス等の断線異常が発生した場合に、アンプ基板１１２の異常検出信号生成部１１２Ｅにより異常検出信号が生成される。異常検出信号生成部１１２Ｅにより生成された異常検出信号は、異常検出信号出力部１１２Ｆからサブ制御基板１０６に対して出力される。サブ制御基板１０６に異常検出信号が出力されると、サブ制御基板１０６のＣＰＵ１０６Ａにより特別アンプ基板１７６に対して特別スピーカ１７８のエラー音の出力を開始させるためのエラー信号が出力される。特別アンプ基板１７６は、エラー信号を受けて、特別スピーカ１７８の音制御を実行し、特別スピーカ１７８は、所定のエラー音を出力する。なお、エラー音に関する音データを記憶するＲＯＭ（図示省略）や特別スピーカ１７８の音出力を実行するアンプ回路（図示省略）は、特別アンプ基板１７６に設けられている。
【０１１４】
これにより、パチンコ機１０の始動口５６Ｂや大入賞口８６、８７などに不正行為が発生し、スピーカの音声出力電圧の印加及びスピーカハーネス等の断線異常が発生した場合には、特別スピーカ１７８からエラー音が出力されるため、周囲のパチンコ機１０の関係者にエラーを知らせることができる。特に、特別アンプ基板１７６及び特別スピーカ１７８は、パチンコ機１０の表面に露出していないため、これらが不正行為の対象になることがなく、特別アンプ基板１７６及び特別スピーカ１７８の機能を維持することができる。この結果、パチンコ機１０の始動口５６Ｂや大入賞口８６、８７などに不正行為が発生し、スピーカの音声出力電圧の印加及びスピーカハーネス等の断線異常が発生した場合には、特別スピーカ１７８を介して確実に報知することができる。
【０１１５】
なお、特別スピーカ１７８は、特別アンプ基板１７６ではなく、既存のアンプ基板１１２に接続されており、サブ制御基板１０６からアンプ基板１１２を介してエラー音の出力を制御するように構成してもよい。
【０１１６】
次に、パチンコ機１０の異常報知方法の第２実施例について説明する。
【０１１７】
（第２実施例）
図１２に示すように、サブ制御基板１０６には、各種ＬＥＤ・ランプ１７２の他に、特別装飾駆動基板１８０が接続されている。特別装飾駆動基板１８０には、特別ＬＥＤ・ランプ１８２が接続されている。特別ＬＥＤ・ランプ１８２は、パチンコ機１０の始動口５６Ｂや大入賞口８６、８７などに不正行為が発生し、スピーカの音声出力電圧の印加及びスピーカハーネス等の断線異常が発生した場合に、所定の発光パターンでエラー発光（点灯（点滅））する。なお、特別ＬＥＤ・ランプ１８２の発光制御は、サブ制御基板１０６から特別装飾駆動基板１８０を介して実行される。また、特別ＬＥＤ・ランプ１８２は、パチンコ機１０の表面の目立つ部位に設けられていることが好ましい。
【０１１８】
第２実施例となるパチンコ機１０の異常報知方法によれば、パチンコ機１０に不正行為が発生し、スピーカの音声出力電圧の印加及びスピーカハーネス等の断線異常が発生した場合に、アンプ基板１１２の異常検出信号生成部１１２Ｅにより異常検出信号が生成される。異常検出信号生成部１１２Ｅにより生成された異常検出信号は、異常検出信号出力部１１２Ｆからサブ制御基板１０６に対して出力される。サブ制御基板１０６に異常検出信号が出力されると、サブ制御基板１０６のＣＰＵ１０６Ａにより特別装飾駆動基板１８０に対して特別ＬＥＤ・ランプ１８２のエラー発光を開始させるためのエラー信号が出力される。特別装飾駆動基板１８０は、エラー信号を受けて、特別ＬＥＤ・ランプ１８２のエラー発光制御を実行し、特別ＬＥＤ・ランプ１８２は、エラー発光を実行する。なお、エラー発光に関する発光タイミングデータを記憶するＲＯＭ（図示省略）は、特別装飾駆動基板１８０に設けられている。
【０１１９】
これにより、パチンコ機１０の始動口５６Ｂや大入賞口８６、８７などに不正行為が発生し、スピーカの音声出力電圧の印加及びスピーカハーネス等の断線異常が発生した場合には、特別ＬＥＤ・ランプ１８２がエラー発光するため、周囲のパチンコ機１０の関係者にエラーを知らせることができる。この結果、パチンコ機１０の始動口５６Ｂや大入賞口８６、８７などに不正行為が発生し、スピーカの音声出力電圧の印加及びスピーカハーネス等の断線異常が発生した場合には、特別ＬＥＤ・ランプ１８２を介して確実に報知することができる。
【０１２０】
なお、特別ＬＥＤ・ランプ１８２は、特別装飾駆動基板１８０ではなく、既存の装飾駆動基板１１４に接続されており、サブ制御基板１０６から装飾駆動基板１１４を介してエラー発光を制御するように構成してもよい。
【０１２１】
次に、パチンコ機１０の異常報知方法の第３実施例について説明する。
【０１２２】
（第３実施例）
図１３に示すように、サブ制御基板１０６には、パチンコホールに設置されているホール側コンピュータ１８４が接続されている。ホール側コンピュータ１８４には、パチンコ機１０の始動口５６Ｂや大入賞口８６、８７などに不正行為が発生し、スピーカの音声出力電圧の印加及びスピーカハーネス等の断線異常が発生した場合に、サブ制御基板１０６によりエラー信号が出力される。
【０１２３】
第３実施例となるパチンコ機１０の異常報知方法によれば、パチンコ機１０に不正行為が発生し、スピーカの音声出力電圧の印加及びスピーカハーネス等の断線異常が発生した場合に、アンプ基板１１２の異常検出信号生成部１１２Ｅにより異常検出信号が生成される。異常検出信号生成部１１２Ｅにより生成された異常検出信号は、異常検出信号出力部１１２Ｆからサブ制御基板１０６に対して出力される。サブ制御基板１０６に異常検出信号が出力されると、サブ制御基板１０６のＣＰＵ１０６Ａによりホール側コンピュータ１８４に対してエラー信号が出力される。
【０１２４】
これにより、パチンコ機１０の始動口５６Ｂや大入賞口８６、８７などに不正行為が発生し、スピーカの音声出力電圧の印加及びスピーカハーネス等の断線異常が発生した場合には、ホール側コンピュータ１８４にエラー信号が出力されるため、周囲のパチンコ機１０の関係者にエラーを知らせることができる。この結果、パチンコ機１０の始動口５６Ｂや大入賞口８６、８７などに不正行為が発生し、スピーカの音声出力電圧の印加及びスピーカハーネス等の断線異常が発生した場合には、ホール側コンピュータ１８４を介して確実に報知することができる。
【０１２５】
なお、ホール側コンピュータ１８４は、サブ制御基板１０６ではなく、既存の主制御基板１０２に接続されており、主制御基板１０２からホール側コンピュータ１８４に対してエラー信号を出力するようにしてもよい。ホール側コンピュータ１８４が主制御基板１０２に接続されている場合には、アンプ基板１１２からサブ制御基板１０６を介して主制御基板１０２に、異常検出信号が出力され、主制御基板１０２は、異常検出信号を受けて、ホール側コンピュータ１８４に対してエラー信号を出力する。
【０１２６】
次に、パチンコ機１０の異常報知方法の第４実施例について説明する。
【０１２７】
（第４実施例）
図１４に示すように、パチンコ機１０に不正行為が発生し、かつアンプ回路１１２Ａに異常が発生した場合に、パチンコ遊技を停止するように制御してもよい。すなわち、パチンコ機１０に不正行為が発生し、かつアンプ回路１１２Ａに異常が発生した場合に、アンプ基板１１２の異常検出信号生成部１１２Ｅにより異常検出信号が生成される。異常検出信号生成部１１２Ｅにより生成された異常検出信号は、異常検出信号出力部１１２Ｆからサブ制御基板１０６に対して出力される。サブ制御基板１０６に異常検出信号が出力されると、サブ制御基板１０６のＣＰＵ１０６Ａにより主制御基板１０２に対してエラー信号が出力される。
【０１２８】
サブ制御基板１０６からのエラー信号が主制御基板１０２に入力されると、主制御基板１０２のＣＰＵ１０２Ａにより現在実行されているパチンコ遊技が停止される。具体的には、主制御基板１０２からサブ制御基板１０６、発射制御基板１０８及び払出制御基板１０４に対して遊技停止信号が出力される。サブ制御基板１０６に遊技停止信号が出力されると、サブ制御基板１０６から演出表示基板１１０、アンプ基板１１２及び装飾駆動基板１１４に対して遊技を停止する遊技停止信号が出力され、各基板による演出が停止される。また、発射制御基板１０８や払出制御基板１０４に遊技停止信号が出力されると、発射制御基板１０８による遊技球の発射や払出制御基板１０４による遊技球の払い出しが停止される。
【０１２９】
これにより、パチンコ機１０の始動口５６Ｂや大入賞口８６、８７などに不正行為が発生し、かつアンプ回路１１２Ａに異常が発生した場合には、遊技の進行を停止することにより、周囲のパチンコ機１０の関係者にエラーを知らせることができる。
【０１３０】
なお、上記実施形態では、一般遊技演出に伴う演出音（効果音）を出力するための一般演出用スピーカ１７０Ａと、不正行為が発生したときに警告音を出力するための非常用スピーカ１７０Ｂと、を区別した。そして、本発明を非常用スピーカ１７０Ｂに適用した。しかし、一般演出用スピーカ１７０Ａと非常用スピーカ１７０Ｂとが一つのスピーカで共用されており、その共用されたスピーカに対して本発明を適用してもよい。
【０１３１】
また、上記実施形態では、サブ制御基板１０６と区別してアンプ基板１１２がある例について記載した。しかし、サブ制御基板１０６の中にアンプ基板１１２が包含されていてもよい。
【０１３２】
さらに、上記実施形態では、パチンコ機１０を例にとり説明した。しかし、本発明を図１５のようなパチスロ機２５０に適用しても良い。音声出力するデジタルアンプはパチンコ機１０であってもパチスロ機２５０であっても同様のものが使われるので、回路図は同様に適用される。
【図面の簡単な説明】
【０１３３】
【図１】本発明の第１実施形態に係る遊技機（パチンコ機）の正面図である。
【図２】本発明の第１実施形態に係る遊技機（パチンコ機）の遊技盤の正面図である。
【図３】本発明の第１実施形態に係る遊技機（パチンコ機）の電子制御装置の一部の構成を示すブロック図である。
【図４】本発明の第１実施形態に係る遊技機（パチンコ機）の電子制御装置を構成するサブ制御基板を説明するための説明図である。
【図５】本発明の第１実施形態に係る遊技機（パチンコ機）の電子制御装置を構成するアンプ基板を説明するための説明図である。
【図６】本発明の第１実施形態に係る遊技機（パチンコ機）の電子制御装置を構成するアンプ基板のアンプ回路を説明するための説明図である。
【図７】本発明の第１実施形態に係る遊技機（パチンコ機）の電子制御装置を構成するアンプ基板のアンプ回路の一構成要素である論理回路の出力パターンを示した図である。
【図８】本発明の第１実施形態に係る遊技機（パチンコ機）の電子制御装置を構成するアンプ基板のアンプ回路の各点での状態を説明するための説明図である。
【図９】本発明の第２実施形態に係る遊技機（パチンコ機）の電子制御装置を構成するアンプ基板のアンプ回路の一部を示した説明図である。
【図１０】（Ａ）はコンパレータの出力側の波形であり、（Ｂ）は抵抗、ダイオード、コンデンサを通過したときのこれらの出力側の波形であり、（Ｃ）はさらにインバータを通過したときのインバータの出力側の波形である。
【図１１】本発明の各実施形態に係る遊技機（パチンコ機）の異常報知方法の第１実施例を説明した説明図である。
【図１２】本発明の各実施形態に係る遊技機（パチンコ機）の異常報知方法の第２実施例を説明した説明図である。
【図１３】本発明の各実施形態に係る遊技機（パチンコ機）の異常報知方法の第３実施例を説明した説明図である。
【図１４】本発明の各実施形態に係る遊技機（パチンコ機）の異常報知方法の第４実施例を説明した説明図である。
【図１５】本発明が適用される遊技機（パチスロ機）の正面図である。
【符号の説明】
【０１３４】
１０        パチンコ機（遊技機）
１０６      サブ制御基板（音出力制御手段）
１１２      アンプ基板（音出力制御手段）
１１２Ｂ    ＣＰＵ（異常判定部）
１７０Ｂ    非常用スピーカ（音出力手段）
２００      第１回路
２０２      第２回路
２０４      論理回路
２０８      カーレントトランス（電流検出手段、電流変成器）
２１０      第１コンパレータ（電流検出手段）
２１２      第１出力安定手段
２２２      第２コンパレータ（電圧検出手段）
２２４      第２出力安定手段
【図１】
2010124837.tif 000003
【図２】
2010124837.tif 000004
【図３】
2010124837.tif 000005
【図４】
2010124837.tif 000006
【図５】
2010124837.tif 000007
【図６】
2010124837.tif 000008
【図７】
2010124837.tif 000009
【図８】
2010124837.tif 000010
【図９】
2010124837.tif 000011
【図１０】
2010124837.tif 000012
【図１１】
2010124837.tif 000013
【図１２】
2010124837.tif 000014
【図１３】
2010124837.tif 000015
【図１４】
2010124837.tif 000016
【図１５】
2010124837.tif 000017